(57)【要約】【課題】貨幣，商品券，有価証券などの有価券に埋め込まれ又は貼付された無線ＩＣチップ等の記憶媒体に記憶された情報を利用して、顧客から預かった預かり金を迅速かつ確実に管理することができ、安価で大型化を防止して商品販売データ処理装置を提供する。【解決手段】少なくとも金銭的価値を識別するための識別データを記憶する無線ＩＣチップ等の記憶媒体５が埋設又は貼付された貨幣，商品券，有価証券などの金銭的価値を有する有価券を収容し、収容した有価券から識別データを読取り、読取った識別データから有価券の種類及び数量を識別し、その識別結果を記憶する。【選択図】      図１
2005128648.tif 000002
【特許請求の範囲】
【請求項１】
販売商品の販売データを登録するためのデータ処理を行う商品販売データ処理装置において、少なくとも金銭的価値を識別するための識別データを記憶する記憶媒体が埋設又は貼付された貨幣，商品券，有価証券などの金銭的価値を有する有価券を収容する収容手段と、この収容手段に収容した有価券から前記識別データを読取る識別データ読取手段と、この識別データ読取手段で読取った識別データから前記有価券の種類及び数量を識別する識別手段と、この識別手段で識別した識別結果を記憶する識別結果記憶手段とを具備したことを特徴とする商品販売データ処理装置。
【請求項２】
販売商品の販売データを登録するためのデータ処理を行う商品販売データ処理装置において、少なくとも金銭的価値を識別するための識別データを記憶する記憶媒体が埋設又は貼付された貨幣，商品券，有価証券などの金銭的価値を有する有価券を収容する収容手段と、この収容手段に収容した有価券から前記識別データを読取る識別データ読取手段と、この識別データ読取手段で読取った識別データを外部の情報処理装置へ送信する送信手段と、外部の情報処理装置から前記識別データに基づいて前記有価券の種類と数量が識別された結果である識別結果を受信する受信手段と、この受信手段で受信した識別結果を記憶する識別結果記憶手段とを具備したことを特徴とする商品販売データ処理装置。
【請求項３】
前記収容手段が前記有価券を収容したことを検出する検出手段を具備し、
前記識別データ読取手段は、前記検出手段が前記有価券を収容したことを検出したときに、識別データの読取り動作を開始することを特徴とする請求項１又は２記載の商品販売データ処理装置。
【請求項４】
時刻を計時する時刻計時手段を具備し、
前記識別データ読取手段は、前記時刻計時手段により計時される時刻が予め定められた時刻になったときに、識別データの読取り動作を開始することを特徴とする請求項１又は２記載の商品販売データ処理装置。
【請求項５】
前記識別結果記憶手段は、前記識別データ読取手段が読取り動作を行う毎に新たな識別結果を、少なくとも前回の識別結果と共に記憶することを特徴とする請求項１記載の商品販売データ処理装置。
【請求項６】
前記識別結果記憶手段が新たな識別結果を記憶したときに、新たな識別結果と前回の識別結果とを比較する比較判断手段と、
この比較判断手段が、前記新たな識別結果が前記前回の識別結果より金銭的価値が減少していたと判断したときに、注意を促すメッセージを出力するメッセージ出力手段とを具備したことを特徴とする請求項５記載の商品販売データ処理装置。
【請求項７】
前記識別結果記憶手段は、前記識別データ読取手段が識別データの読取り動作を開始したときに、サインオンしているキャッシャーのキャッシャーコードを関連付けて記憶することを特徴とする請求項１乃至６のいずれか１に記載の商品販売データ処理装置。
【発明の詳細な説明】
【技術分野】
【０００１】
本発明は、販売商品を登録する際に、識別データを記憶したＩＣチップ等の記憶媒体が埋め込まれた貨幣，商品券，有価証券などの金銭的価値を有する有価券から情報を読取り、その読取った情報に基づいてデータ処理を行う商品販売データ処理装置に関する。
【背景技術】
【０００２】
近年、コンビニエンスストア等の小売店では、アルバイトやパートタイマー等の正規従業員以外を雇用して人材コストを削減しようとする傾向がある。しかし、正規従業員以外のアルバイトやパートタイマーでは、経営者に対する忠誠心が低いばかりか、店内備品や金銭の盗難・紛失等の不正行為が発生しやすいことがある。特にＰＯＳ（Ｐｏｉｎｔ  ｏｆ  Ｓａｌｅｓ：販売時点情報管理）端末のドロワ内の現金管理の確実性、安全性が損なわれる機会が急増している。
【０００３】
このような問題を解決するために、顧客からの預かり金額をＰＯＳ端末に入力して、実際のドロワ内の金額とＰＯＳ端末に入力した預かり金額情報との同一性を確認して処理するＰＯＳ端末装置も考えられている（例えば、特許文献１参照）。
【０００４】
また、最近ではＩＣ（Ｉｎｔｅｇａｔｅｄ  Ｃｉｒｃｕｉｔ）チップで構成された記憶媒体を無線通信により認識できる新技術が開発されてきた。このようなＩＣチップを紙幣に埋め込み、ＩＣチップにシリアルコード、発信元情報、額面情報などを記憶し、紙幣の電子透かし情報として利用しようという研究がされている（例えば、特許文献２参照）。
【特許文献１】特開平１１−７３５７３号公報
【特許文献２】特開２００１−２６０５８０号公報
【発明の開示】
【発明が解決しようとする課題】
【０００５】
特許文献１に記載されたＰＯＳ端末を利用して貨幣を識別するには紙幣識別装置、硬貨識別装置それぞれをＰＯＳ端末に接続して設けなければならず、装置が高価になり、また、装置が大型化し、ＰＯＳ端末の設置場所に困ることがある。
【０００６】
特許文献２に記載されたＩＣチップが埋め込まれた紙幣が実際に流通するようになれば、小売店での商品取引の際に、店員が顧客から預かった紙幣のＩＣチップに記憶された情報をＰＯＳ端末で読取り、その判別結果から金額を自動入力することが可能になる。
【０００７】
本発明の目的は、貨幣，商品券，有価証券などの金銭的価値を有する有価券に埋め込まれ又は貼付された無線ＩＣチップ等の記憶媒体に記憶された情報を利用して、顧客から預かった預かり金を迅速かつ確実に管理することができる安価で大型化を防止した商品販売データ処理装置を提供することにある。
【課題を解決するための手段】
【０００８】
本発明は、少なくとも金銭的価値を識別するための識別データを記憶する無線ＩＣチップ等の記憶媒体が埋設又は貼付された貨幣，商品券，有価証券などの金銭的価値を有する有価券を収容し、収容した有価券から識別データを読取り、読取った識別データから有価券の種類及び数量を判別し、その判別結果を記憶するものである。
【発明の効果】
【０００９】
本発明によると、貨幣，商品券，有価証券などの金銭的価値を有する有価券に埋設され又は貼付された無線ＩＣチップ等の記憶媒体に記憶された情報を利用して、顧客から預かった預かり金を迅速かつ確実に管理することができる安価で大型化を防止した商品販売データ処理装置を提供できる。
【発明を実施するための最良の形態】
【００１０】
以下、本発明を、貨幣，商品券，有価証券などの金銭的価値を有する有価券の中の１つである紙幣に無線ＩＣチップが埋設されており、ＰＯＳ端末は紙幣に埋設された無線ＩＣチップからから少なくとも金銭的価値を識別するためのデータを読取る場合で図面を参照しながら説明する。
【００１１】
図１は、商品販売時のデータ処理を行う商品販売データ処理装置が接続されたネットワークシステムの全体構成を概略的に示したものである。商品販売データ処理装置であるＰＯＳ（Ｐｏｉｎｔ  Ｏｆ  Ｓａｌｅｓ）端末１とストアサーバ２がＬＡＮ（Ｌｏｃａｌ  Ａｒｅａ  Ｎｅｔｗｏｒｋ）３を介して接続されている。このＬＡＮ３に接続されるＰＯＳ端末１は、店舗内の各会計場（レジ）にそれぞれ設置されている。それぞれの会計場においてキャッシャーは顧客に販売する商品をＰＯＳ端末１に登録し、その登録した商品の合計金額に相当する貨幣（紙幣４やコイン）を顧客から受取り決済を行う。この決済に使用される紙幣４には記憶媒体としての無線ＩＣチップ５が埋設されている。なお、無線ＩＣチップ５は紙幣４に埋設されていないくても表面に貼付されている構成としても良い。ストアサーバ２は、ＬＡＮ３に接続された複数のＰＯＳ端末１等を管理すると共にＰＯＳ端末１から送信された情報から必要な情報を外部ネットワーク６介して例えば本部のサーバ（図示しない）へ送信する。
【００１２】
図２はＰＯＳ端末１の外観を示す図である。ＰＯＳ端末１は、図中手前側がキャッシャー側、奥側が顧客側となるように各会計場に設置されている。ＰＯＳ端末１には、数値を入力するための置数キー、販売金額の小計を算出するための小計キー、顧客から販売金額に相当する紙幣を預かるときに入力する預／現計キーなどの各種キーが設けられたキーボード１１、商品の包装等に貼られたバーコードから商品データを読取るためのバーコードスキャナ１２、バーコードスキャナで読取った商品の値段などのキャッシャーに必要な情報を表示するためのキャッシャー用ディスプレイ１３、顧客に渡すレシートを発行するレシート発行口１４、顧客から受け取った貨幣を一時的に載置する貨幣載置台１５、ＰＯＳ端末１の底部に配設するとともに顧客から受け取った貨幣を収容する収容手段としてのドロワ１６、入力した商品の値段など顧客に必要な情報を表示するための客用ディスプレイ１７などが設けられている。
【００１３】
図３はＰＯＳ端末１の底部に配置されたドロワ１６を各部に分解した分割図であり、図４はドロワ１６の側断面図である。  
図３に示すように分解されているドロワ１６は次のように組み立てる。ドロワ１６の開閉（ドロワオープン／ドロワクローズ）を検出する検出手段としてのマイクロスイッチ２１を底板２２に配設し、その底板２２を筐体２３の下側に取り付ける。このマイクロスイッチ２１は、筐体２３内の奥側に位置するように底板２２に配置される。引出し２４の底部には、紙幣４に埋設された無線ＩＣチップ５から情報を読取るための識別データ読取手段としての貨幣データ読取部２５が設けられている。この貨幣データ読取部２５の上側に、コインの種類毎に分けて収容するコインケース２６を配置した紙幣の種類毎に収容する紙幣ケース２７を配置する。このコインケース２６及び紙幣ケース２７に紙幣を配置した引出し２４を筐体２３内に挿入してドロワ１６が組み立てられる。このように組み立てられたドロワ１６は、引出し２４がドロワ１６内にロックされているときはマイクロスイッチ２１が引出し２４の背面に接触するためマイクロスイッチ２１はオン状態となり、ドロワ１６のロックが解除され引出し２４が開放された状態ではマイクロスイッチ２１が引出し２４の背面に接触しないためマイクロスイッチ２１はオフ状態となる。図４はこのドロワ１６の側断面図を示している。貨幣データ読取部２５は、ＰＯＳ端末１からの指示に基づいてドロワ１６内に収容した各紙幣４の無線ＩＣチップ５からデータを読取ることができるようになっている。
【００１４】
この貨幣データ読取部２５が各紙幣４に埋設された無線ＩＣチップ５からデータを読取る構成について図５，図６を参照しながら説明する。図５は貨幣データ読取部２５の要部構成を示すブロック図であり、図６は無線ＩＣチップ５の要部構成を示すブロック図である。
【００１５】
貨幣データ読取部２５は、アンテナ３１と読取部本体３２とからなる。読取部本体３２は、上位装置であるＰＯＳ端末１と接続するためのインタフェース部３３、ＣＰＵ，ＲＯＭ，ＲＡＭ等で構成される制御部３４、無線ＩＣチップ５への送信信号（例えば貨幣識別信号）を変調する変調部３５、変調電波を増幅してアンテナ３１から放射させる送信アンプ３６、アンテナ３１で受信した電波を増幅する受信アンプ３７及び増幅された受信電波を復調する復調部３８等で構成している。このようにアンテナ３１から送信される貨幣識別信号はドロワ１６内の貨幣だけを識別するように、数センチメートル程度の無線通信距離になるような出力で発信される。また、ドロワ１６内の貨幣だけを識別するためにドロワ１６自体を電波が漏れないような構造、材質としても良い（例えばドロワ１６を構成する底板２２，筐体２３，引出し２４の引出し面を電波の漏れない材質とする。）。
【００１６】
無線ＩＣチップ５は、送受信可能なアンテナ４１とＬＳＩチップ４２とを基板に一体成形した独立の部品である。アンテナ４１は、矩形状に成形されたループコイル等からなる。ＬＳＩチップ４２は、アンテナ４１で受信した変調電波の整流と安定化を行うことによりＬＳＩチップ４２の各部に電源を供給する電源生成部４３、上記変調電波を復調して制御部４５へ送出する復調部４４、制御部４５から送出されたデータを変調してアンテナ４１に送出する変調部４６、復調部４４で復調されたデータが貨幣識別信号であるとき、メモリ４７に記憶した情報を読み出し貨幣応答データとして変調部へ送出する制御部４５及びメモリ４７等で構成している。メモリ４７は、当該無線ＩＣチップ５の製造段階で製造業者により設定された固有の無線ＩＤ（ＲＦＩＤ：Ｒａｄｉｏ  Ｆｒｅｅｃｅｎｃｙ  Ｉｄｅｔｉｆｉｃａｔｉｏｎ）を記憶する無線ＩＤエリア４７ａと、ユーザが任意のデータを書込むことができるユーザエリア４７ｂとからなる。ユーザエリア４７ｂには、発行した発行国を示す国コード、貨幣の種類を識別するための貨幣識別コード、貨幣の金額情報を示す額面情報、それぞれの貨幣に固有の番号を示す発行番号、貨幣の発行日を示す発行日のデータなどが記憶されている。
【００１７】
かかる構成により、貨幣データ読取部２５は、インタフェース部３３に接続されたＰＯＳ端末１の制御により所定の貨幣識別信号を電波に変調してアンテナ３１から発信する。一方、無線ＩＣチップ５は、アンテナ４１で貨幣識別信号を受信すると、電源生成部４３から各部に電源が供給されて制御部４５が作用し、メモリ４７の情報が読取られる。そして、ＲＦＩＤ及び貨幣識別コードのデータが変調部４６で無線送信に適した形態に変調された後、アンテナ４１から貨幣応答信号として発信される。なお、貨幣応答信号として送信するデータは、ＲＦＩＤ，貨幣識別コードだけでなく、メモリ４７に記憶されたその他のデータも合わせて送信するようにしても良い。この電波は、貨幣データ読取部２５のアンテナ３１でほぼ確実に受信され、ＰＯＳ端末１に送られるようになっている。
【００１８】
図７は、ＰＯＳ端末１の要部構成を示すブロック図である。ＰＯＳ端末１は、制御部本体を構成するＣＰＵ５１、制御プログラム等の固定的データを予め記憶したＲＯＭ５２、各商品の販売データ等が登録されるＲＡＭ５３、現日時を計時する時刻計時手段としての時計部５４、ＬＡＮ３を介してストアサーバ２と接続するＬＡＮインタフェース５５、各種データ及びファイルを記憶するＨＤＤ（ハード・ディスク・ドライブ）部５６、キーボード１１を制御するキーボードコントローラ５７、キャッシャー用ディスプレイ１３を制御する表示コントローラ５８、客用ディスプレイ１７を制御する表示コントローラ５９、レシート印字等を行うためのプリンタ６０を制御するプリンタコントローラ６１、貨幣データ読取部２５のインタフェース部３３と接続するインタフェース６２、商品の包装に貼付されたバーコードからバーコードデータを読取るバーコードスキャナ１２からの信号が入力されるＩ／Ｏポート６３、キーボード１１の入力に基づいてドロワ１６に引出し２４を開放させるための駆動信号を出力するＩ／Ｏポート６４、マイクロスイッチ２１からの信号が入力されるＩ／Ｏポート６５等を備えている。ＣＰＵ５１と、ＲＯＭ５２，ＲＡＭ５３，時計部５４，ＬＡＮインタフェース５５，ＨＤＤ部５６，各種入出力機器のコントローラ５７，５８，５９，６１，インタフェース６２及びＩ／Ｏポート６３，６４，６５とは、アドレスバス，データバス等のバスライン６６で接続されている。
【００１９】
ＨＤＤ部５６のハードディスクには、貨幣識別データファイル５６１，キャッシャーファイル５６２，識別結果記憶手段としての貨幣識別結果ファイル５６３などのファイルが記憶される。これらのファイル５６１，５６２，５６３を図８から図１０を用いて説明する。
【００２０】
図８は、貨幣識別データファイル５６１を示す図である。貨幣識別データファイル５６１は、貨幣識別コードエリア５６１ａと額面情報エリア５６１ｂとにそれぞれデータが記憶されている。貨幣識別コードエリア５６１ａには、貨幣を識別する貨幣識別コードが記憶され、額面情報エリア５６１ｂには貨幣識別コードに対応した貨幣の額面金額が記憶される。  
図９は、キャッシャーファイル５６２を示す図である。キャッシャーファイル５６２は、キャッシャーコードエリア５６２ａ、氏名エリア５６２ｂにそれぞれデータが記憶されている。キャシャーコードエリア５６２ｓには、キャッシャーを識別するキャッシャーコードが記憶され、氏名エリア５６２ｂにはキャッシャーコードに対応したキャッシャーの氏名が記憶される。
【００２１】
図１０は、貨幣識別結果ファイル５６３を示す図である。この貨幣識別結果ファイル５６３は、貨幣データ読取部２５がドロワ１６に収容された貨幣の読取り動作を行う毎に新たな処理番号のファイルが作成され、前回以前の貨幣識別結果ファイルに追加されるようになっている。この貨幣識別結果ファイル５６３には、ＰＯＳ端末の端末番号を記憶するエリア５６３ａ、ドロワ１６内に収容した紙幣４の識別処理を行った処理番号のエリア５６３ｂが設けられている。また、処理番号毎に、新しく識別結果がファイルされたときに前回の識別結果よりドロワ１６に収容された紙幣４の合計の金銭的価値が減少していたときに「１」、金銭的価値が減少していないときに「０」を記憶する注意フラグのエリア５６３ｃ、識別処理が行われた日付，時刻を記憶するエリア５６３ｄ、販売商品の登録処理を行ったキャッシャーコードを記憶するエリア５６３ｅ、ドロワ１６内に収容された各紙幣４のＲＦＩＤを１千円，２千円，５千円，１万円といった紙幣の種別毎に記憶するエリア５６３ｆ及び紙幣の類毎の枚数を記憶するエリア５６３ｇ、紙幣の種類毎の合計金額を記憶するエリア５６３ｈ、全ての紙幣の合計金額を記憶するエリア５６３ｉが設けられている。なお、貨幣識別結果ファイル５６３に注意フラグのエリア５６３ｃを含むようにしているが、注意フラグのエリア５６３ｃを貨幣識別結果ファイル５６３とは別ファイルとし、それぞれのファイルを処理番号で対応させるようにしても良い。また、紙幣の種別毎に記憶するエリア５６３ｆにはＲＦＩＤを記憶するようにしているが、上述した貨幣応答信号に紙幣４の発行番号のデータが含まれる場合には、発行番号を記憶するようにしても良い。
【００２２】
図１１はストアサーバ２の要部構成を示すブロック図である。ストアサーバ２は、制御部本体を構成するＣＰＵ７１、プログラム等の固定的データを予め記憶したＲＯＭ７２、データ等が登録されるＲＡＭ７３、現日時を計時する時計部７４、ＬＡＮ３と接続するＬＡＮインタフェース７５、各種データを保存するＨＤＤ部７６、外部ネットワーク６と接続するインタフェース７７、キーボード７８を制御するキーボードコントローラ７９、ディスプレイ８０を制御する表示コントローラ８１、印字等を行うためのプリンタ８２を制御するプリンタコントローラ８３等を備えている。ＣＰＵ７１と、ＲＯＭ７２，ＲＡＭ７３，時計部７４，ＬＡＮインタフェース７５，ＨＤＤ部７６，インタフェース７７及び各種コントローラとはアドレスバス，データバス等のバスライン８４で接続されている。
【００２３】
次に、ＰＯＳ端末１の貨幣データ読取部２５で貨幣からデータを読取ったときに実行する貨幣識別処理の要部を説明する。貨幣データ読取部２５は、ＣＰＵ５１がマイクロスイッチ２１から出力される信号に基づいてドロワ１６が閉じられたことを検出したときに、ドロワ１６に収容されている貨幣の無線ＩＣチップから情報を読取る動作を開始する。この貨幣データ読取部２５の実行する貨幣識別処理の前半を図１２のフローチャート、後半を図１３のフローチャートを参照しながら説明する。
【００２４】
ＣＰＵ５１は、待機状態においては、マイクロスイッチ２１から出力される信号を監視し、ドロワオープンか否か（マイクロスイッチ２１がオン状態であるか否か）を判断する（ＳＴ１）。この判断でドロワオープンであると判断すると、続いて、ＣＰＵ５１はドロワクローズか否か（マイクロスイッチ２１がオフ状態か否か）を判断する（ＳＴ２）。ドロワクローズと判断するまで待機状態となりドロワクローズを判断すると、ＣＰＵ５１は、貨幣データ読取部２５を制御して貨幣識別信号を出力する（ＳＴ３）。そして、ＣＰＵ５１はＨＤＤ部５６の貨幣識別結果ファイル５６３に新たな処理番号のファイルを作成し、その処理番号に対応させて時計部５４から取得した日付及び時刻を記憶する（ＳＴ４）。
【００２５】
続いて、ＣＰＵ５１はサインオン状態か否かを判断する（ＳＴ５）。サインオン状態と判断すると、ステップＳＴ４において作成した貨幣識別結果ファイル５６３の新たな処理番号に対応するキャッシャーコードのエリアにサインオンしているキャッシャーのキャッシャーコードを記憶する（ＳＴ６）。ＣＰＵ５１はサインオン状態でないと判断したときはステップＳＴ６をスキップして次の処理へ進む。
【００２６】
次にＣＰＵ５１は貨幣識別信号に応答した貨幣応答信号を受信したか否かを判断する（ＳＴ７）。この判断で貨幣応答信号を受信していないと判断すると、予め設定された設定時間を経過したか否かを判断する（ＳＴ８）。この設定時間を経過したと判断するまでは、ステップＳＴ７の貨幣応答信号を受信したか否かの判断を行い、ＣＰＵ５１は設定時間を経過したと判断しても貨幣応答信号を受信していないと判断すると、紙幣ゼロを識別する（ＳＴ９）。また、ＣＰＵ５１は設定時間を経過する前に貨幣応答信号を受信したと判断すると、受信した貨幣応答信号に基づいて貨幣識別データファイルを検索する（ＳＴ１０，識別手段）。この貨幣識別データファイルを検索する処理では、応答した全ての貨幣応答信号に対して行われ、受信した貨幣応答信号の貨幣識別データとＨＤＤ部５６の貨幣識別データファイル５６１に記憶された貨幣識別データとを比較して貨幣の種類を特定することにより貨幣の種類を識別する。
【００２７】
ステップＳＴ９の処理のように紙幣ゼロが識別されると、各紙幣がゼロであることを貨幣識別結果ファイル５３６の新たな処理番号に対応させて記憶させ、ステップＳＴ１０の処理のように検索処理が行われ貨幣の種類が識別されると、その識別した貨幣の貨幣応答信号から取得したＲＦＩＤ、そして貨幣の種類毎の枚数を新たな処理番号に対応させて記憶する（ＳＴ１１）。このように貨幣検出結果を貨幣検出結果ファイル５３６に記憶する処理が終了すると、ＣＰＵ５１は貨幣識別信号の出力を停止する（ＳＴ１２）。
【００２８】
次に、ＣＰＵ５１は、貨幣検出結果ファイル５３６の新たな処理番号に対応するデータに基づいて、各種類毎の合計金額を算出するとともに全ての貨幣の合計金額を算出し（ＳＴ１３）、それらを合計金額のエリア５６３ｈ，５６３ｉに記憶する（ＳＴ１４）。そして、ＣＰＵ５１は、新たな処理番号に対応する合計金額のエリアに記憶された合計金額（今回金額）と新たな処理番号の１つ前（前回）の処理番号に対応する合計金額のエリアに記憶された合計金額（前回金額）とを比較し（ＳＴ１５）、前回金額≦今回金額であるか否かを判断する（ＳＴ１６，比較判断手段）。前回金額≦今回金額と判断すると、ＣＰＵ５１は処理を終了する。前回金額≦今回金額と判断すると、ＣＰＵ５１は続いて、ステップＳＴ１にてドロワオープンとなった後にドロワ１６に収容された貨幣を回収する貨幣回収業務があったか否かを判断する（ＳＴ１７）。ＣＰＵ５１は貨幣回収業務があったと判断すると処理を終了し、貨幣回収業務がなかったと判断すると新たな処理番号に対応する注意フラグのエリア５６３ｂに「１」を記憶する（ＳＴ１８）。注意フラグのエリア５６３ｂに「１」が記憶されると、ＣＰＵ５１は、注意メッセージをＬＡＮ３に接続されたストアサーバ２に送信する（ＳＴ１９，メッセージ出力手段）。なお、この実施の形態では、注意メッセージを出力する前に貨幣回収業務が行われたか否かの判断を行うこととしているが、この判断処理を行わずに、新たな識別結果が前回の識別結果より金銭的価値が減少していたと判断したときに直ちに注意メッセージを出力するようにしても良い。
【００２９】
この注意メッセージには所定の定型の注意を促すめためのメッセージ及びＰＯＳ端末の番号，前回合計金額，今回合計金額，前回合計金額と今回合計金額との差額，キャッシャーの氏名，日付時刻などからなる。また、注意メッセージの送信先は、ストアサーバ２だけに限られず、ストアサーバ２を介して外部ネットワーク６に接続された警察，警備会社などに設置された情報処理装置に送信するようにしても良い。また、前回合計金額と今回合計金額との差額に応じて注意メッセージの送信先を設定するようにしても良い。例えば、合計金額の差額が小さい金額である場合は、注意メッセージの送信先をストアサーバ２のみとし、合計金額の差額が非常に大きい金額である場には注意メッセージの送信先をストアサーバ２，警察及び警備会社に設置された情報処理装置それぞれに送信するように設定する。
【００３０】
次にこのように構成されたＰＯＳ端末１を用いてキャッシャーが販売取引を行う際の作用について説明する。キャッシャーは、会計場に設置されたＰＯＳ端末１にキャッシャーコードを入力しサインオン状態とし、バーコード１２により販売商品の登録を行い、全ての商品の登録が終了した時点でキーボード１１の小計キーを入力し、小計金額を算出させる。そしてキャッシャー用ディスプレイ１３及び客用ディスプレイ１７に表示された金額を顧客に伝え、顧客からその金額に相当する金額以上の貨幣を受け取る。キャッシャーは顧客から受け取った貨幣をＰＯＳ端末の貨幣載置台１５に載置し、キーボード１１の預／現計キーを入力する。預／現計キーが入力されると、ＰＯＳ端末１はドロワ１６のロックを解除して引出し２４を開放する。
【００３１】
そして、キャッシャーは、釣銭がある場合は顧客に釣銭を手渡した後、顧客から預かった貨幣を引出し２４内のコインケース２６及び紙幣ケース２７に貨幣の種類別に分けて収納し、引出し２４を挿入する。引出し２４が挿入されるとマイクロスイッチ２１がオン状態となり、ＰＯＳ端末１は引出し２４が閉じられたこと（ドロワクローズ）を検出し、貨幣データ読取部２５から貨幣識別信号を無線電波で発信する。
【００３２】
ドロワ１６に収容された各紙幣４に埋設された無線ＩＣチップ５は、貨幣識別信号を受信すると、無線ＩＣチップ５内に記憶されたＲＦＩＤ及び貨幣識別コードからなる貨幣応答信号を無線電波で応答発信する。応答発信した無線電波はＰＯＳ端末１の貨幣データ読取部２５で受信される。ＰＯＳ端末１は各紙幣４からの貨幣応答信号を受信すると、信号に含まれる貨幣識別コード及ＲＦＩＤに基づいていくらの額面の紙幣が何枚あるかを識別し、その識別結果を貨幣識別結果ファイル５６３に記憶する。
【００３３】
そして、ＰＯＳ端末１は貨幣識別結果ファイル５６３に記憶されたデータに基づいてドロワ１６内に収容された紙幣の合計金額を算出し、前回の合計金額と比較し、今回の合計金額が前記の合計金額より少なくなっているとともに貨幣回収業務がなかった場合には、ストアサーバ２に注意メッセージを出力する。図１４は、ストアサーバ２のディスプレイ８０に表示された注意メッセージの一例を示す図である。ディスプレイ８０に表示される注意メッセージには、ＰＯＳ端末の番号，前回合計金額，今回合計金額，前回合計金額と今回合計金額との差額，キャッシャーの氏名，日付時刻などが含まれており、ストアサーバ２の管理人（例えば店舗責任者）に直ちに注意を促すと共に、どのＰＯＳ端末でいくら合計金額が少なくなっているかが報知される。
【００３４】
この実施の形態のＰＯＳ端末によると、ドロワ１６が閉められたときに、貨幣データ読取部２５がドロワ１６に収容された紙幣４に埋め込まれた無線ＩＣチップ５から情報を読取り、読取り結果を識別することで、迅速かつ確実にドロワ１６内に収容された紙幣の種類，枚数及び合計金額などを確認することができるので顧客から預かった預かり金を迅速かつ確実に管理することができ、紙幣識別装置、硬貨識別装置それぞれをＰＯＳ端末に接続して設ける必要がなく、装置の大型化も防止できる。
【００３５】
さらに、前回販売処理を行ったときにドロワ１６内に収容された貨幣の合計金額より今回販売処理を行ったときのドロワ１６内に収容された貨幣の合計金額が減少していることを識別したときには、店舗内の事務所にいる店舗責任者に直ちに報知することができる。これにより、強盗や店員による金銭の盗難・紛失の発生と同時に店舗責任者等にドロワ１６内に収容された紙幣に異常が生じたことがわかるので、店舗責任者は直ちに対応を取ることが可能となり、金銭の盗難、紛失を回避することが可能となる。
【００３６】
なお、図１２のフローチャートで示したように、貨幣データ読取部２５のドロワ１６内に収容された紙幣４から情報を読取る読取動作を引出し２４が開放された後閉じられたときに開始するようにしているが、予め設定した時刻になったときに自動的に貨幣識別処理を実行するようにしても良い。この処理を図１５のフローチャートで説明する。図１５に示すように、ＣＰＵ５１は、例えばＲＯＭ５２などに予め時刻を設定しておき、時計部５４から取得する時刻が設定された時刻となったか否かを判断し（ＳＴ２１）、設定された時刻になったと判断したら貨幣データ読取部２５を制御して、貨幣識別信号を出力する（ＳＴ３）。なお、ステップＳＴ３以降の処理については、図１２のフローチャートで説明しているのでここでは説明を省略する。
【００３７】
また、図１３のフローチャートで示したように、前回合計金額より今回の合計金額が減少していた場合にストアサーバ２の店舗責任者に注意メッセージを送信するようにしたが、１万円紙幣等の高額紙幣の枚数のみを管理し、その高額紙幣の枚数が前回記憶された枚数より今回記憶された枚数が減少していた場合に注意メッセージを報知するようにしても良い。この場合におけるＰＯＳ端末１が実行する貨幣識別処理を図１６のフローチャートで説明する。上述したステップＳＴ１２の処理が終わると、ＣＰＵ５１は、新たな処理番号に対応する高額紙幣のエリアに記憶された枚数（今回枚数）と新たな処理番号の１つ前（前回）の処理番号に対応する高額紙幣のエリアに記憶された枚数（前回枚数）とを比較し（ＳＴ３１）、前回枚数≦今回枚数であるか否かを判断する（ＳＴ３２）。ＣＰＵ５１は、前回枚数≦今回枚数と判断すると処理を終了し、前回枚数≦今回枚数と判断すると続いて、上述したステップＳＴ１７のドロワ１６に収容された貨幣を回収する貨幣回収業務があったか否かを判断する処理を行う。この判断処理以降のステップＳＴ１８，ＳＴ１９などの処理については、図１３のフローチャートで説明しているのでここでは説明を省略する。
【００３８】
さらに、貨幣識別データファイル５６１をＰＯＳ端末１のＨＤＤ部５６に設けたが、ストアサーバ、本部システム、又は店舗外の政府機関等に設置された上位装置（情報処理装置）に設け、ＰＯＳ端末は受信した貨幣応答信号を上位装置に送信し（送信手段）、上述した貨幣識別処理は上位装置で実行し、ＰＯＳ端末１はその識別結果を上位装置から受信し（受信手段）、その受信データを貨幣検出結果ファイル５３６に記憶するようにしても良い。
【００３９】
また、貨幣識別結果ファイル５６３をＰＯＳ端末１のＨＤＤ部５６に設けているが、ストアサーバ２，本部システムのサーバのＨＤＤ部７６などのＰＯＳ端末１の上位の情報処理装置の記憶部に設け、ＰＯＳ端末１の貨幣データ読取部２５がドロワ１６内の貨幣を識別処理を行った結果を上位装置に送信し、上位装置で貨幣識別結果ファイル５６３を管理するようにしても良い。
【００４０】
なお、この実施の形態では貨幣識別結果ファイル５６３にはドロワ１６内に収容された各紙幣４に埋設された無線ＩＣチップ５からデータを読取り、紙幣の種別毎に記憶される場合で説明しているが、これに限られるものではなく、硬貨，商品券，有価証券（小切手，手形，株券，債権等）などの金銭的価値を有する有価券に金銭的価値を識別するための識別データを記憶させた無線ＩＣチップ５を埋設又は貼付しておき、貨幣識別データファイル５６１に有価券の金銭的価値を識別するための識別データを記憶させておくとともに貨幣識別結果ファイル５６３に各有価券の種類毎にＲＦＩＤを記憶するエリアや有価券の種類毎の枚数、合計金額を記憶するエリアを設けておき、貨幣データ読取部２５はその各有価券の無線ＩＣチップから少なくとも金銭的価値を識別するための識別データを読取り、上述の貨幣識別処理を行うようにしても良い。
【００４１】
なお、この発明は、上記実施の形態そのままに限定されるものではなく、実施段階ではその要旨を逸脱しない範囲で構成要素を変形して具体化でき、また、上記実施形態に開示されている複数の構成要素の適宜な組み合わせにより種々の発明を変形できるものである。
【図面の簡単な説明】
【００４２】
【図１】本発明の実施の形態における商品販売時の商品販売データ処理を行うシステムの構成を概略的に示す図。
【図２】同実施の形態におけるＰＯＳ端末の外観を示す図。
【図３】同実施の形態におけるドロワを各部に分解した分解図。
【図４】同実施の形態におけるドロワの側断面図。
【図５】同実施の形態における貨幣データ読取部の要部構成を示すブロック図。
【図６】同実施の形態における無線ＩＣチップの要部構成を示すブロック図。
【図７】同実施の形態におけるＰＯＳ端末の要部構成を示すブロック図。
【図８】同実施の形態における貨幣識別データファイルを示す図。
【図９】同実施の形態におけるキャッシャーファイルを示す図。
【図１０】同実施の形態における貨幣識別結果ファイルを示す図。
【図１１】同実施の形態におけるストアサーバの要部構成を示すブロック図。
【図１２】同実施の形態における貨幣識別処理の前半を示すフローチャート。
【図１３】同実施の形態における貨幣識別処理の後半を示すフローチャート。
【図１４】同実施の形態における注意メッセージの表示の一例を示す図。
【図１５】同実施の形態における他の貨幣識別処理の前半を示すフローチャート。
【図１６】同実施の形態におけるさらに他の貨幣識別処理の後半を示すフローチャート。
【符号の説明】
【００４３】
１…ＰＯＳ端末，２…ストアサーバ，４…紙幣，５…無線ＩＣチップ，１６…ドロワ，２５…貨幣データ読取部，４７…メモリ，４７ｂ…ユーザエリア，５６１…貨幣データ識別ファイル，５６２…キャッシャーファイル，５６３…貨幣識別結果ファイル
【図１】
2005128648.tif 000003
【図２】
2005128648.tif 000004
【図３】
2005128648.tif 000005
【図４】
2005128648.tif 000006
【図５】
2005128648.tif 000007
【図６】
2005128648.tif 000008
【図７】
2005128648.tif 000009
【図８】
2005128648.tif 000010
【図９】
2005128648.tif 000011
【図１０】
2005128648.tif 000012
【図１１】
2005128648.tif 000013
【図１２】
2005128648.tif 000014
【図１３】
2005128648.tif 000015
【図１４】
2005128648.tif 000016
【図１５】
2005128648.tif 000017
【図１６】
2005128648.tif 000018